(57)【要約】【課題】木製土台の防蟻効果を確実化しつつ作業性にも優れた防蟻被覆材を提供する。【解決手段】土台２は、コンクリート製の基礎１の上面に配置されている。防蟻被覆材３を構成する防蟻シート６は、基礎１と土台２との間に介在する水平配置部６ａと、土台２の外面を覆う外側被覆部６ｂとを有しており、水平配置部６ａの下面に、発泡樹脂製等の防蟻シール材７が配置されている。防蟻シート６の外側被覆部６ｂを外装１３や柱１１に仮保持し、次いで、防水シート１５を防蟻シート６の外側被覆部６ｂに外側から重ねて、防水シート１５を押さえ部材１６で固定する。防蟻シール材７は水平配置部６ａに取付けられているため、施工も簡単で位置決めも正確に行える。【選択図】図３
2019210731.tif 000002
【特許請求の範囲】
【請求項１】
コンクリート製の基礎の上に木製土台が配置されている木造建物に使用する防蟻被覆材であって、
防蟻シートと防蟻シール材とから成っており、
前記防蟻シートは、前記基礎と土台との間に挟み込まれる水平配置部と、前記水平配置部の外端に一体に繋がって前記土台の外側面を覆うように配置される外側被覆部とを有している一方、
前記防蟻シール材は圧縮変形する樹脂材製であり、この防蟻シール材が、前記水平配置部の下面又は上面若しくは上下両面に、前記水平配置部の略全長にわたって延びるように接合されている、
木造建物の基礎部用防蟻被覆材。
【請求項２】
前記防蟻シートは、ＥＶＡ樹脂を材料にした押し出し加工品である一方、前記防蟻シール材は発泡シリコーン製又はＥＰＤＭ製である、
請求項１に記載した木造建物の基礎部用防蟻被覆材。
【請求項３】
前記防蟻シートと防蟻シール材とのうち少なくとも防蟻シートには、忌避性の防蟻剤と遅効性の防蟻剤とが配合されている、
請求項１又は２に記載した木造建物の基礎部用防蟻被覆材。
【請求項４】
前記忌避性の防蟻剤はエトフェンプロックスであり、前記遅効性の防蟻剤はチアメトキサムである、
請求項３に記載した木造建物の基礎部用防蟻被覆材。
【請求項５】
前記防蟻シール材は、前記基礎の長手中心線を挟んだ両側に一対配置されており、前記一対の防蟻シール材の間に、アンカーボルトに嵌め込まれた金属製台輪を配置する間隔が空けられている、
請求項１〜４のうちのいずれかに記載した木造建物の基礎部用防蟻被覆材。
【請求項６】
請求項１〜５のうちのいずれに記載した防蟻被覆材を使用してベタ基礎方式の木造建物を施工する方法であって、
コンクリート製基礎のうち外周部を構成する部分の上面に、前記防蟻シートの水平配置部を重ね配置する一方、コンクリート製基礎のうち外周部で囲われた内側のものには、前記防蟻シートと同じ厚さのスペーサシートにシール材を設けたものを重ね配置し、
次いで、木製土台を前記水平配置部及びスペーサシートの上に載せてアンカーボルトにて固定し、
次いで、前記各土台に柱を立設した後でかつ外壁を施工する前に、前記防蟻シートの外側被覆部を上向きに起こして前記柱又は他の壁材にタッカー又は他の固定具で仮り保持し、
その後、防水シートを、その下部が前記防蟻シートの外側被覆部に重なるように配置してから、前記防水シートと外側被覆部とを押さえ部材で固定し、その後に前記外壁を取り付ける、
という工程を備えている、
木造建物の施工方法。
【発明の詳細な説明】
【技術分野】
【０００１】
本願発明は、ベタ基礎方式の高気密木造建物に好適な防蟻被覆材、及び、この防蟻被覆材を使用した施工方法に関するものである。
【背景技術】
【０００２】
ベタ基礎方式の木造住宅では、コンクリート製の基礎を地面に施工してから、基礎の上面に木製の土台を載置固定し、それから、土台の上に建物の上部分を構築しており、基礎と土台との間をパッキン材によって気密基礎構造とすることが行われている。
【０００３】
気密基礎構造と成しているのは、白蟻の侵入防止や断熱性向上のためであり、その例として特許文献１の図４には、パッキンを防蟻性シートで構成して、その上面に２本の突条を設けることが開示されている。また、特許文献１では、基礎の外面に断熱層を設けて、断熱層の外面を覆うように側面用防蟻シートを配置し、この側面用防蟻シートの上部で土台の外側面を覆っている。
【０００４】
他方、特許文献２には、防蟻シートを基礎の内外両側に大きくはみ出る幅に形成して、外側にはみ出た部分は土台の外面に重ね、内側にはみ出た部分は床板の下面に固定することが開示されている。
【先行技術文献】
【特許文献】
【０００５】
【特許文献１】特開２０００−２７３９７７号公報
【特許文献１】特開２００３−２０１７４５号公報
【発明の概要】
【発明が解決しようとする課題】
【０００６】
さて、ベタ基礎の建物の場合、基礎で囲われた内部からの白蟻の侵入は基本的にはないが、基礎の外側においては、白蟻が基礎の外側面を這い上がって土台に至ることがある。そして、特許文献１では、側面用防蟻シートを別に設けて、この側面用防蟻シートで土台の外側面を覆っているため、白蟻の這い上がりも防止できると云えるが、２種類の防蟻シートが必要であるため、コストか嵩むと共に施工も面倒になることは否めない。
【０００７】
他方、特許文献２では、１枚の防蟻シートで土台の下面も外側面も覆われているため、白蟻が基礎の外面を這い上がってきても、１枚の（あるいは１種類の）防蟻シートで土台を白蟻から防護できる。
【０００８】
しかし、特許文献２では、防蟻シートのうち土台の内側にはみ出た部分を床板の下面の固定することは、非常に面倒であると思料される。すなわち、特許文献２では、床板を敷設してから、防蟻シートの内向きはみ出し部を床板の下面に固定することになるが、このためには、土台に近い部位の床板を部分的に敷設してから、人が床下空間に入り込んで身体をかがめてシートの固定作業を行い、次いで、人が床下空間から出てから残りの床板を敷設するという手順を要するため、作業が非常に厄介になると解される。
【０００９】
本願発明は、このような現状を改善すべくなされたものである。
【課題を解決するための手段】
【００１０】
本願発明は、防蟻被覆材と建物の施工方法とに関し、その典型例を各請求項で特定している。
【００１１】
請求項１の発明は、コンクリート製の基礎の上に木製土台が配置されている木造建物に使用する防蟻被覆材に関するものであり、この防蟻被覆材は、
「防蟻シートと防蟻シール材とから成っており、
前記防蟻シートは、前記基礎と土台との間に挟み込まれる水平配置部と、前記水平配置部の外端に一体に繋がって前記土台の外側面を覆うように配置された外側被覆部（起立配置部）とを有している一方、
前記防蟻シール材は圧縮変形する樹脂材製であり、この防蟻シール材が、前記水平配置部の下面又は上面若しくは上下両面に、前記水平配置部の略全長にわたって延びるように接合されている」
という構成になっている。
【００１２】
請求項２の発明は請求項１の展開例であり、この発明では、
「前記防蟻シートは、ＥＶＡ樹脂を材料にした押し出し加工品である一方、前記防蟻シール材は発泡シリコーン製又はＥＰＤＭ製である」
という構成になっている。
【００１３】
請求項３の発明は、請求項１又は２において、
「前記防蟻シートと防蟻シール材とのうち少なくとも防蟻シートには、忌避性の防蟻剤と遅効性の防蟻剤とが配合されている」という構成になっている。
【００１４】
請求項３の好適な具体例として、請求項４では、
「前記忌避性の防蟻剤はエトフェンプロックスであり、前記遅効性の防蟻剤はチアメトキサムである、」
という構成になっている。
【００１５】
請求項５の発明は、請求項１〜４のうちのいずれかにおいて、
「前記防蟻シール材は、前記基礎の長手中心線を挟んだ両側に一対配置されており、前記一対の防蟻シール材の間に、アンカーボルトに嵌め込まれた金属製台輪を配置する間隔が空けられている」
という構成になっている。
【００１６】
請求項６では、建物の施工方法を特定している。この施工方法は、請求項１〜５のうちのいずれに記載した防蟻被覆材を使用してベタ基礎方式の木造建物を施工する方法であって、
「コンクリート製基礎のうち外周部を構成する部分の上面に、前記防蟻シートの水平配置部を重ね配置する一方、コンクリート製基礎のうち外周部で囲われた内側のものには、前記防蟻シートと同じ厚さのスペーサシートにシール材を設けたものを重ね配置し、
次いで、木製土台を前記水平配置部及びスペーサシートの上に載せてアンカーボルトにて固定し、
次いで、前記各土台に柱を立設した後でかつ外壁を施工する前に、前記防蟻シートの外側被覆部を上向きに起こして前記柱又は他の壁材にタッカー又は他の固定具で仮り保持し、
その後、防水シートを、その下部が前記防蟻シートの外側被覆部に重なるように配置してから、前記防水シートと外側被覆部とを押さえ部材で固定し、その後に前記外壁を取り付ける」
という工程を備えている。
【００１７】
スペーサシート及びこれに使用するシール材には、防蟻剤は配合してもよいし、配合しなくてもよい。
【００１８】
本願発明において、防蟻シート及び防蟻シール材に配合する防蟻剤としては様々なものを使用できるが、例えば、防蟻効果と安全性とに優れたものとしてチアメトキサムがある。このチアメトキサムは分解温度が１３９℃であるため、チアメトキサムを使用して防蟻シートに混入する場合は、押し出し温度が１３９℃以下の材料しか使用できない。この点、ＥＶＡ（エチレン酢酸ビニル共重合体）の融点は、エチレンと酢酸ビニルとの配合割合によって相違はするが１００℃以下であることが多いため、本願発明の防蟻シートとして好適である。
【００１９】
防蟻シール材としては、発泡樹脂やゴム質素材を使用できる。弾性や強度だけに着目すると、例えば発泡ウレタン樹脂は好適である。クッション材に防蟻性能を持たせる場合は、発泡前の材料に防蟻剤を混入することになるが、ウレタン樹脂は発泡温度が一般に１５０〜２００℃であるので、防蟻剤は、この温度に耐えるものを使用する必要がある。
【００２０】
他方、防蟻効果と安全性とを両立できる防蟻剤として前記したチアメトキサムがあるが、チアメトキサムは分解温度が１３９℃であるため、発泡ウレタン樹脂には使用できない。この点、防蟻シール材として発泡シリコーンを使用すると、シリコーンは常温で発泡して固形化するため、チアメトキサムを添加しても分解させることなく発泡させることができ、しかも、弾性変形量は大きいため、高いシール性を確保することができる。従って、防蟻シール材として好適である。
【００２１】
発泡シリコーンは伸縮性と耐久性に優れているが、ＥＰＤＭ（エチレンプロピレンジエンゴム）は、発泡シリコーンと同等の性能を備えつつ安価であるため、コスト面では有利である。但し、ＥＰＤＭは生成温度が１３９℃よりも高いため、チアメトキサムは使用できない。
【００２２】
チアメトキサムは遅効性の防蟻剤であるが、忌避性（即効性）の防蟻剤としては、効果と安全性との点からは、エトフェンプロックスが好適である。もとより、本願発明では、使用できる防蟻剤の種類には限定はないのであり、効果を備えて条件が許せば、化学系のものでも天然系のものでも制限なく使用できる。例えば、化学系としては、チアメトキサムが含まれるネオニコチノイド系が挙げられるが、他のネオニコチノイド系防蟻剤としては、クロニアチジン、イミダクロプリド、ジノテフランなどが挙げられる。
【００２３】
他の化学系防蟻剤として、カーバメート系のフェノブカブル、ピレスロイド系のペルメトリン、ビフェントリン、トラロメトリン、ピレスロイド系のエトフェンプロックス、フェニルピラゾール系のフィプロニル、フェニルピロール系のクロルフェナピルなどのピレスロイド系などが挙げられる（エトフェンプロックスもピレスロイド系である。）。無機系防蟻剤としてのホウ酸やコレマナイト、ヒノキチオールなどの天然系薬剤なども使用可能である。また、複数種類の防蟻剤を混合して使用することも可能である。
【００２４】
基礎には、その中心線上に所定間隔でアンカーボルトが立設されており、アンカーボルトを防蟻シートに貫通させる必要がある。この点、防蟻シートに予め穴を空けておくことも可能ではあるが、基礎の長さやアンカーボルトのピッチは現場によってまちまちであるため、現場において、ナイフで切り込みを入れるなどして穴を空けるのが合理的である。
【００２５】
この場合、水平配置部の中心線に沿って線を入れておくと、穴の位置を正確に設定できる利点がある。中心線に代えてミシン線を入れておくと、手で部分的に引き千切るなどして穴を正確に空けることができるため、作業性を更に向上できる。
【発明の効果】
【００２６】
本願各発明では、１枚の防蟻シートで土台の下面と外面とが覆われる。しかも、防蟻シートの水平配置部はアンカーボルトに貫通させて基礎に載せるだけであり、特許文献２のような面倒な処理工程は必要ない。また、基礎の上面に不陸があっても、防蟻シール材が圧縮されることによって不陸を確実に吸収できる。従って、高い作業能率を確保しつつ、土台を白蟻から確実に防護することができる。
【００２７】
請求項２の構成では、既述のとおり、ＥＶＡは耐久性に優れつつ溶融温度が低いため、多くの種類の防蟻剤を配合することができる。従って、防蟻シートとして好適である。同様に、防蟻シール材としての発泡シリコンーンも溶融温度が低いため、使用できる防蟻剤の種類が多くて汎用性が高い。他方、ＥＰＤＭは、既述のとおり経済性に優れている。
【００２８】
防蟻シートは、扱い易さやコストなどの面から厚さには限度があり、例えば２ｍｍ以下であることが普通である。従って、白蟻が同じ場所に繰り返し到来しても食い破られないように防護しておく必要がある。この点、請求項３の構成では、まず、白蟻が防蟻シートに近接すると忌避性の防蟻剤によって撃退され、更に、白蟻が防蟻シートに接触すると、遅効性の防蟻剤が白蟻の付着して巣に持ち帰られて、この白蟻に接触した他の白蟻に拡散することにより、多くの白蟻を巣において死滅させることができる。
【００２９】
つまり、請求項３の発明では、白蟻が防蟻シートに接触することを忌避性防蟻剤によって抑制できると共に、忌避性防蟻剤の効果が経時的に低下する等して白蟻が防蟻シートに接触すると、遅効性の防蟻剤によって多くの白蟻を巣で死滅させることができるのであり、このダブル効果によって、土台の防護を長期にわたって確実化できる。
【００３０】
請求項４のように、忌避性の防蟻剤としてエトフェンプロックスを使用して、遅効性防蟻剤としてチアメトキサムを使用すると、安全性と効果の点で信頼性が高いため好適である。
【００３１】
さて、地震国である日本において、木造建物についても免震や耐震のような地震対策は必須であり、そこで、木造建物用免震台として、アンカーボルトに嵌め込む方式のものが使用されている。この免震台は、土台と基礎とを相対動させて免震するものであるが、金属製であるため、免震台を配置していない部位では、基礎と土台との間に空間が発生しており、何等の対策を講じないと、白蟻に対して無防備になる。
【００３２】
この点、本願請求項５の発明では、一対の防蟻シール材の間に、免震台等の金属製台輪を配置できるため、基礎と土台との間の防蟻機能を確保しつつ免震機能を確保することができる。つまり、土台が台輪に載った状態で防蟻シール材が圧縮されるように設定しておくことにより、基礎と土台との間の空間を防蟻シール材で塞いで、防蟻性能を確実化できる。
【００３３】
コンクリート製の基礎は、建物の壁に下方に配置されているのが普通であり、ベタ基礎方式の建物では、外周枠の内側に配置された土台には白蟻のアクセスはないため、防蟻対策は基本的には必要ない。しかし、外周部の土台を防蟻被覆材で防護すると、土台は、高さが少し高くなるため、外周の土台と内側の土台とで高さが相違してしまい、建物を施工できなくなってしまう。
【００３４】
この点、請求項６のように、内側に位置した土台をスペーサシートで支持すると、内外の土台の高さを揃えることができるため、建物を問題なく施工できる。この場合、スペーサシートには立ち上がり部は不要であり、また、防蟻剤を配合する必要性はないため、コストも抑制できる。また、スペーサシートは、内側の土台の全長にわたって配置する必要性はなく、少なくともアンカーボルトの箇所に配置しておれば足りる。この面でも、コストを抑制できる。
【図面の簡単な説明】
【００３５】
【図１】第１実施形態の斜視図である。
【図２】基礎から分離した状態での平面図である。
【図３】施工途中での建物の分離縦断正面図である。
【図４】施工後の建物の縦断正面図である。
【図５】内側の基礎とスペーサシートとの分離平面図である。
【図６】端部及び接続部の処理を説明するための図で、（Ａ）は分離平面図、（Ｂ）は一連に長い防蟻被覆材の平面図である。
【図７】出隅コーナー部の処理を示す図で、（Ａ）は分離平面図、（Ｂ）は施工後の平断面図、（Ｃ）は他の処理例を示す斜視図である。
【図８】入隅コーナーの処理例を示す図で、（Ａ）は分離平面図、（Ｂ）は施工後の平断面図である。
【図９】防蟻シール材の別例である第２〜６実施形態を示す図である。
【図１０】台輪に対応した第７実施形態を示す図で、（Ａ）は平面図、（Ｂ）は（Ａ）のＢ−Ｂ視断面図である。
【図１１】台輪に対応した第８実施形態を示す分離平面図である。
【図１２】台輪に対応した第９実施形態を示す分離平面図である。
【発明を実施するための形態】
【００３６】
(1).第１実施形態の基本構造
次に、本願発明の実施形態を図面に基づいて説明する。まず、図１〜８に示す第１実施形態を説明する。図１に示すように、建物の基礎部は、コンクリート製の基礎１と、その上に配置した木製の土台２と、これら土台２を白蟻から防護する防蟻被覆材３とを有している。
【００３７】
本実施形態の基礎１は、土間にもコンクリートを打設しているベタ基礎であり、基礎１の表裏両面には、コンクリート打設用型枠を兼用する断熱パネル４が重ね配置されている（すなわち、断熱パネル４は、コンクリートの打設によって基礎１に接合されている。）。外側に位置した断熱パネル４の外面には、耐火層としてモルタル層５が塗工されている。なお、断熱パネル４にも防蟻性を持たせるのが好ましい。
【００３８】
断熱パネル４は、発泡ポリスチレンや発泡ポリエチレン等の発泡樹脂で製造されている。断熱パネル４は、基礎１の外面のみに配置されていてもよい。また、断熱パネル４は、基礎１を施工してから接着剤で接着することも可能である。更に、断熱パネル４が存在しない構成も採用できる。
【００３９】
以下では、方向を特定するため前後・左右の文言を使用するが、前後方向は防蟻被覆材３や基礎１の長手方向として定義し、左右方向は防蟻被覆材３や基礎１の幅方向として定義している。
【００４０】
防蟻被覆材３は、合成樹脂シートに防蟻剤を配合して成る防蟻シート６を備えている。防蟻シート６は、基礎１と土台２との間に挟み込まれる水平配置部６ａと、土台２の外面に重なるように上向きに曲げられる外側被覆部６ｂで構成されており、水平配置部６ａの下面に、発泡樹脂製の防蟻シール材７が略全長にわたって接合されている。従って、防蟻被覆材３は防蟻シート６と防蟻シール材７とで構成されている。防蟻シール材７は、概ね正方形に近い断面形状になっている。
【００４１】
防蟻シート６は、例えばＥＶＡ樹脂の押し出し加工品であり、押し出し前の状態で、溶融した樹脂に防蟻剤を添加することによって防蟻性が付与されている。他方、防蟻シール材７は、例えば発泡シリコーン樹脂の成形品であり、これも、発泡前の段階に防蟻剤を添加しておくことにより、防蟻性が付与されている。なお、防蟻シール材７は、当初から所定の幅に成形してもよいし、幅広に形成されたものをスリッターで細幅に裁断してもよい。
【００４２】
防蟻シート６及び防蟻シール材７ともに、忌避性の防蟻剤としてエトフェントプロックスを配合し、遅効性の防蟻剤としてチアメトキサムを混入している。防蟻剤の混入量は、それぞれ外掛け重量比で１００〜１０００ｐｐｍ程度でよい。
【００４３】
防蟻シール材７は、接着剤で防蟻シート６に接合してもよいし、両面粘着テープによって接合してもよい。接着剤や粘着テープの粘着剤（接着剤）に防蟻剤を配合しておくのは、好ましいことである。防蟻シール材７は、土台２の内側面と外側面とに寄るように配置されているが、配置位置は任意に設定できる。基礎１及び土台２の幅寸法が大きい場合は、防蟻シール材７を左右２本ずつ配置することも可能である。
【００４４】
図２に部分的に示すように、防蟻シート６の水平配置部６ａに、中心線に沿って延びるミシン線８を形成したり、単なる中心線を印刷したりすることができる。図２では、アンカーボルトを符号９で表示している。
【００４５】
防蟻シート６における外側被覆部６ｂは、土台２の上方に大きく立ち上げできる寸法になっている。土台２の幅は１００〜〜２００ｍｍであることが多いので、防蟻シート６のはみ出し幅寸法Ｗは、例えば、１５０〜３００ｍｍ程度で足りる。
【００４６】
防蟻シート６は、立ち上げる前の状態ではモルタル層５の外側に垂らしているが、地面まで届かない程度の幅寸法か、届いても僅かしか地面に当たらないような寸法に設定しておくと、工事中に人に踏まれることを防止できて好適である。
【００４７】
図２示すように、基礎１の長手中心線上には、所定の間隔でアンカーボルト９が立設されている一方、土台２には、アンカーボルト９が嵌まる穴が空いており、土台２と防蟻被覆材３（の水平配置部６ａ及び防蟻シール材７）とは、アンカーボルト９に上からナットをねじ込むことによって基礎１に共締めされている。
【００４８】
(2).基本的な施工手順
図３，４に示すように、土台２の上には所定間隔で柱１１が立設されており、隣り合った柱１１の間には、内装板１２と外装板１３とが配置されて、両者の間に壁用断熱材１４が挟み込まれている。外装板１３の外面には防水シート（透湿シート）１５が重なっていて、防水シート１５は、上下長手の押さえ部材（胴縁）１６の群によって外装材１３に固定されている。
【００４９】
押さえ部材１６の群の外側には、窯業系等のサイディング（外壁材）１７が金具を介して配置されている。従って、防水シート１５とサイディング１７との間には、通気空間が空いており、通気空間の下方には、水平状に長い水切り材１８が配置されている。本実施形態では、長い水切り材１８は土台２の外面に釘やビスで固定されており、防水シート１５の下端部は、水切り材１８を部分的に覆っている。土台２の上には多数本の根太１９が配置されており、根太１９の群で床パネル２０が支持されている。
【００５０】
建物の壁部の施工は、大まかには、基礎１を構築する、基礎１に防蟻被覆材３の水平配置部６ａを重ねる、防蟻被覆材３の水平配置部６ａに土台２を重ねてからアンカーボルトにて基礎１に固定する、柱１１の群を立設する、内装材１２と壁用断熱材１５と外装材１３とを組み込む、防水シート１５を配置し固定する、サイディング１７を組み付けていく、という手順で行われる。
【００５１】
そして、外装材１３を施工した後で防水シート１５を施工する前の段階で、図３に示すように、防蟻シート６の外側被覆部６ｂを上向きに立ち上げて、タッカー等によって外装板１３（及び柱１１）に仮り保持し、次いで、防水シート１５を配置し、防蟻シート６の外側被覆部６ｂと防水シート１５とを押さえ部材１６で一緒に押さえ固定する。
【００５２】
これにより、防蟻シート６の外側被覆部６ｂが土台２及び外装材１３とに密着するため、土台２や外装板１３を白蟻から防護することができる。すなわち、白蟻がモルタル層５を伝って土台２の高さまで這い上がったり、外側の断熱パネル４を食い進んで土台２の高さまで這い上がったりしても、白蟻は、防蟻シート６に近づいたり触れたりすると、防蟻剤によって死滅したり巣に逃げ帰ったりして、土台２の食害を防止できる。
【００５３】
白蟻が防蟻シート６に接触すると、チアメトキサムの成分が白蟻に付着することによって、チアメトキサムが巣に持ち帰られるため、多くの白蟻がチアメトキサムに接触して巣において死滅する。従って、高い防蟻効果を得ることができる。少なくとも外側の断熱パネル４にチアメトキサム等の防蟻剤を添加しておくと、白蟻が断熱パネル４を食い進んで這い上がることはないため、土台２の防護を一層確実化できる。
【００５４】
基礎１に不陸があっても、その不陸は防蟻シール材７によって埋められる。従って、白蟻が基礎１の不陸の箇所の隙間を通って内側に入り込むことはない。また、防蟻シール材７にも防蟻剤を配合されているため、白蟻の撃退をより確実化できる。防蟻シール材７は、土台２の重み又は建物の重みで潰れ変形するが、潰れ変形しても、基礎１と土台２の間に収まるように設定しておいてもよいし、潰れて土台の外側に少しはみ出るように設定しておいてもよい。
【００５５】
防蟻被覆材３は、各基礎１の長さに応じて切断しておいたり、２ｍや３ｍといった所定長さに規格化しておいたりすることも可能であるが、１０ｍ以上のロールに製造して、現場で各基礎１の長さに応じて切断するのが好ましいといえる。そして、本実施形態では、防蟻被覆材３の水平配置部６ａに中心線８を設けているため、アンカーボルト９が貫通する穴をナイフ等で空けるにおいて、穴を正確な位置に形成できる。
【００５６】
防蟻シール材７は水平配置部６ａの上面に配置することも可能であるが、本願発明のように水平配置部６ａの下面に配置すると、水平配置部６ａが基礎１の上面で擦られることを防止できる。従って、水平配置部６ａが傷ついたり破れたりして防蟻性能が低下することを防止できる利点がある。
【００５７】
(3).施工に際しての細部の処理
次に、施工に際しての細部の処理を説明する。まず、基礎１のうち、外周枠で囲われた内側の部位の処理について説明する。すなわち、ベタ基礎方式では、防蟻性が必要になるのは、基本的には外周を構成する土台２の箇所だけであるので、外周枠で囲われた内側の基礎１′では、土台２は高さだけ揃えたら足りる。そこで、図５に示すように、内側の基礎１′には、当該基礎１′と略同じ幅のスペーサシート２２にシール材２３を設けたものを重ね配置している。
【００５８】
この場合、スペーサシート２２は、図５に示す２種類の表示から理解できるように、基礎１′の略全長にわたって延びる長さであってもよいし、２００ｍｍや３００ｍｍといった短い長さであってもよい。正方形や円形に形成すると、方向性がないため好適である。スペーサシート２２には大きな荷重が掛かるため、土台２を安定良く支持する点からは、基礎１′の略全長にわたって延びる長さに設定するのが好ましいかもしれない。
【００５９】
次に、１本の基礎１に複数の防蟻被覆材３が直列配置されている場合の処理であるが、この場合は、図６（Ａ）に示すように、隣り合った防蟻被覆材３のうちの片方に余長部２５を形成して、互いに重ね合わせたらよい。余長部２５では、防蟻シール材７は除去している。なお、防蟻シール材７は水平配置部６ａの下に位置しているので、本来は点線で表示されるが、図６では便宜的に実線で表示している。
【００６０】
図７では、建物の出隅部２６での処理例を示している。すなわち、出隅部２６では、交差する２枚の防蟻シート６のうち、一方の防蟻シート６の水平配置部６ａと外側被覆部６ｂとにそれぞれ余長部２７ａ，２７ｂを形成して、他方の防蟻シート６の外側被覆部６ｂにも余長部２８を形成しており、一方の防蟻シート６の水平配置部６ａに設けた余長部２７ａを上向きに折り返して土台２の端面（木口）を覆い、両防蟻シート６の外側被覆部６ｂに設けた余長部２７ａ，２８を水平方向に折り曲げている。
【００６１】
従って、土台２の端面の箇所では、３枚の余長部２７ａ，２７ｂ，２８が重なっている。白蟻は木材の木口から食い進む性質があるが、本実施形態では、３枚の余長部２７ａ，２７ｂ，２８で確実に覆われるため、白蟻の食害防止を確実化できる。外側被覆部６ｂの余長部２７ｂ，２８は、水平方向の全体にわたって重なることは必ずしも必要ではなく、少なくとも部分的に重なり合ったらよい。
【００６２】
一方の防蟻シート６では、水平配置部６ａの余長部２７ａと外側被覆部６ｂの余長部２７ｂとは切り込み３１で分断されている。従って、それら余長部２７ａ，２７ｂの折り曲げを容易に行える。水平配置部６ａの余長部２７ａは切除してもよい。
【００６３】
一方の防蟻シート６において、水平配置部６ａの余長部２７ａと外側被覆部６ｂの余長部２７ｂとが分断されていない場合は、図７（Ｃ）に示すように、外側被覆部６ｂの余長部２７ｂを折り曲げてから、水平配置部６ａの余長部２７ａを三角形に折り畳むと、一方の防蟻シート６の余長部２７ａ，２７ｂを美麗に処理できる。切り込み３１の形成や防蟻シール材７の切除は、現場で行ってもよいし、出荷段階で予め形成しておいてもよい。
【００６４】
図７でも、防蟻シール材７は本来は点線で表示すべきであるが、明瞭化のために実線で表示しており、かつ、平行斜線を付している。図８も同様である。
【００６５】
建物の入り隅部２４では、交差した土台２は互いに密着しており、かつ、両者はホゾとホゾ穴とで接合されている。従って、防蟻シート６の余長部２９は、土台２の端面（木口）に重ならないようにしておくべきである。従って、図８（Ａ）のとおり、一方の防蟻シート６における外側被覆部６ｂの余長部２９は折り返して、この余長部を、他方の防蟻シート６の外側被覆部６ｂに重ねたらよい。
【００６６】
この場合も、余長部２９の折り返しを容易にするため、余長部２９と水平配置部６ａとの境界に切り込み３１を形成したらよい。
【００６７】
(4).防蟻シール材の別例
図９では、防蟻シール材７の別例を何点か表示している。このうち（Ａ）に示す第２実施形態では、防蟻シール材７を水平配置部６ａの上面に配置している。また、（Ｂ）に示す第３実施形態では、防蟻シール材７を厚さに対して左右幅が大きい長方形の断面形状に形成している。
【００６８】
（Ｃ）に示す第４実施形態では、水平配置部６ａの上下両面に防蟻シール材７を配置しており、（Ｄ）に示す第５実施形態では、水平配置部６ａの長手中心線を挟んだ左右両側に一対ずつの防蟻シール材７を配置している。
【００６９】
（Ｅ）に示す第６実施形態では、防蟻シール材７は、水平配置部６ａのうち中心線に沿って延びるアンカーボルト配置エリアを除いて幅広く形成されている。コストが許せば、このような形態も採用可能である。この場合、防蟻シール材７を一点鎖線のように防蟻シート６の上面に配置してもよいし、上下両面に配置してもよい。
【００７０】
(5).台輪への対応例
図１０〜１２では、免震（制震）等のための台輪３２に対応した例を示している。このうち図１０に示す第７実施形態では、一対の防蟻シール材７の間の空間に，アンカーボルト９に嵌まる台輪３２を配置できるようになっている。台輪３２は上下のプレートで構成されており、上下のプレートが相対動することにより、地震に際して基礎１と土台２とが相対動して免震（減震）される。
【００７１】
この実施形態では、土台２及び建物の荷重は金属製の台輪３２で支持される。従って、防蟻シール材７は、土台２で押されてある程度潰れるように設定している。台輪３２は全てのアンカーボルト９の箇所に配置されるが、図５に示したように、外周部の内側に位置した基礎１′の箇所では、土台２の高さを揃えるために、台輪３２に、防蟻シート６と同じ材料からなるリング板を重ねている。
【００７２】
図１１に示す第８実施形態では、一対の防蟻シール材７の間に台輪３２を配置するための十分な間隔が空いている場合において、水平配置部６ａに、台輪３２を露出させ得る逃がし穴３３を形成している。逃がし穴３３は、アンカーボルト９の位置がずれても対応できるように小判形に形成している。
【００７３】
この実施形態でも、防蟻シール材７は土台２によって潰されるため、基礎１と土台２との間の空間は確実にシールされる。また、この実施形態では、土台２は台輪３２のみで支持されるため、外周部の内側に位置した基礎１には、高さを調節するためのスペーサシートを配置する必要はない。従って、作業性が高い。
【００７４】
図１２では、台輪３２と防蟻シール材７とが、台輪３２が防蟻シール材７に重なるような寸法関係にある場合の対応策として、一対の防蟻シール材７の間に、防蟻シール材７と同じ素材で防蟻シール材７と同じ厚さのスペーサ板３４を配置することにより、防蟻シール材７の間の空間を埋めている。従って、台輪３２は片当たりによる変形を招来することなく、土台２を安定よく支持できる。台輪３２は、水平配置部６ａの上下いずれに配置してもよい。
【００７５】
(6).その他
以上、本願発明の実施形態を幾つか説明したが、本願発明は、他にも様々に具体化できる。例えば、防蟻シートと防蟻シール材とのうちいずれか一方又は両方を複数構造に形成することも可能である。
【００７６】
防蟻シートの外側被覆部を外装板に仮り保持する手段としては、タッカーのような打ち込みファスナに代えて、接着剤や粘着テープ（片面粘着テープ又は両面粘着テープ）を使用することも可能である。この場合、外側被覆部のうち上端部になる部分に予め両面粘着テープを貼り付けておいて、現場で離型紙を剥がして貼り付けると、作業を迅速に行える。隣り合った防蟻シートの縁部を、防蟻剤入りの粘着テープで固定すると、全体としての一体性が高くなるため、好適である。
【産業上の利用可能性】
【００７７】
本願発明は、防蟻被覆材に具体化できる。従って、産業上利用できる。
【符号の説明】
【００７８】
１  基礎
２  土台
３  防蟻被覆材
６  防蟻シート
６ａ  水平配置部
６ｂ  外側被覆部
７  防蟻シール材
９  アンカーボルト
１１  柱
１３  外装板
１４  壁用断熱材
１５  防水シート
１６  押さえ部材（胴縁）
１７  サイディング
１８  水切り材
２２  スペーサシート
２３  シール材
２５，２７ａ，２７ｂ，２８，２９  余長部
３１  切り込み
【図１】
2019210731.tif 000003
【図２】
2019210731.tif 000004
【図３】
2019210731.tif 000005
【図４】
2019210731.tif 000006
【図５】
2019210731.tif 000007
【図６】
2019210731.tif 000008
【図７】
2019210731.tif 000009
【図８】
2019210731.tif 000010
【図９】
2019210731.tif 000011
【図１０】
2019210731.tif 000012
【図１１】
2019210731.tif 000013
【図１２】
2019210731.tif 000014